(57)【要約】【課題】本発明は、光源の発光体が発光出力限界に達した場合でも、表示パネル面の色度を使用者の望む色度に色ずれをすることなく調節することができる表示装置および表示方法を提供する。【解決手段】複数の発光体の発光強度を独立して変えることができる表示装置であって、前記発光体の発光強度を検出する発光強度検出手段と、色度および輝度に関する情報を制御指令値として記憶する記憶手段と、少なくとも前記発光強度検出手段による検出結果に基づいて、前記発光体の発光出力限界を判定する発光出力限界判定手段と、前記発光出力限界判定手段により判定された発光出力限界値に基づいて、発光出力限界に達した前記発光体の輝度に関する補正制御指令値を演算する色度保持手段と、前記輝度の制御指令値と前記演算後の輝度の補正制御指令値との切替をする指令値切替手段と、を備えたことを特徴とする表示装置が提供される。【選択図】図１
2008046559.tif 000002
【特許請求の範囲】
【請求項１】
複数の発光体の発光強度を独立して変えることができる表示装置であって、
前記発光体の発光強度を検出する発光強度検出手段と、
色度および輝度に関する情報を制御指令値として記憶する記憶手段と、
少なくとも前記発光強度検出手段による検出結果に基づいて、前記発光体の発光出力限界を判定する発光出力限界判定手段と、
前記発光出力限界判定手段により判定された発光出力限界値に基づいて、発光出力限界に達した前記発光体の輝度に関する補正制御指令値を演算する色度保持手段と、
前記輝度の制御指令値と前記演算後の輝度の補正制御指令値との切替をする指令値切替手段と、
を備えたことを特徴とする表示装置。
【請求項２】
複数の発光体の発光強度を独立して変えることができる表示装置であって、
色度および輝度に関する情報を制御指令値として記憶する記憶手段と、
前記色度に関する制御指令値に基づいて、前記発光体の発光出力限界を判定する発光出力限界判定手段と、
予め記憶した発光出力限界値に基づいて、発光出力限界に達した前記発光体の輝度の補正制御指令値を演算する色度保持手段と、
前記輝度の制御指令値と前記演算後の輝度の補正制御指令値との切替をする指令値切替手段と、
を備えたことを特徴とする表示装置。
【請求項３】
前記演算は、以下の式のいずれかを用いて行うことを特徴とする請求項１または２に記載の表示装置。
【数１】
2008046559.tif 000009
【数２】
2008046559.tif 000010
【数３】
2008046559.tif 000011
ここで、ＹＲ’はＲ（赤）発光体が発光出力限界に達した場合の輝度の補正制御指令値、ＹＧ’はＧ（緑）発光体が発光出力限界に達した場合の輝度の補正制御指令値、ＹＢ’はＢ（青）発光体が発光出力限界に達した場合の輝度の補正制御指令値、ＲlimはＲ（赤）発光体の発光出力限界値、ＧlimはＧ（緑）発光体の発光出力限界値、ＢlimはＢ（青）発光体の発光出力限界値、Cxは色度図座標Cxの指令値、Cyは色度図座標Cyの指令値、a11、a12、a13、a21、a22、a23、a31、a32、a33は変換定数を意味する。
【請求項４】
前記発光体は、Ｒ（赤）、Ｇ（緑）、Ｂ（青）の発光色を持つことを特徴とする請求項１または２に記載の表示装置。
【請求項５】
複数の発光体の発光強度を独立して変えることができる表示方法であって、
色度および輝度に関する情報を制御指令値として記憶し、
前記発光体の発光強度を検出し、
少なくとも前記発光強度の検出結果に基づいて、前記発光体の発光出力限界を判定し、
検出された発光出力限界値に基づいて、発光出力限界に達した前記発光体の輝度の補正制御指令値を演算し、
前記輝度の制御指令値と前記演算後の輝度の補正制御指令値との切替をする、
ことを特徴とする表示方法。
【請求項６】
複数の発光体の発光強度を独立して変えることができる表示方法であって、
色度および輝度に関する情報を制御指令値として記憶し、
前記色度に関する制御指令値に基づいて、前記発光体の発光出力限界を判定し、
予め求められた発光出力限界値に基づいて、発光出力限界に達した前記発光体の輝度の補正制御指令値を演算し、
前記輝度の制御指令値と前記演算後の輝度の補正制御指令値との切替をする、
ことを特徴とする表示方法。
【請求項７】
前記演算は、以下の式のいずれかを用いて行うことを特徴とする請求項５または６に記載の表示方法。
【数４】
2008046559.tif 000012
【数５】
2008046559.tif 000013
【数６】
2008046559.tif 000014
ここで、ＹＲ’はＲ（赤）発光体が発光出力限界に達した場合の輝度の補正制御指令値、ＹＧ’はＧ（緑）発光体が発光出力限界に達した場合の輝度の補正制御指令値、ＹＢ’はＢ（青）発光体が発光出力限界に達した場合の輝度の補正制御指令値、ＲlimはＲ（赤）発光体の発光出力限界値、ＧlimはＧ（緑）発光体の発光出力限界値、ＢlimはＢ（青）発光体の発光出力限界値、Cxは色度図座標Cxの指令値、Cyは色度図座標Cyの指令値、a11、a12、a13、a21、a22、a23、a31、a32、a33は変換定数を意味する。
【発明の詳細な説明】
【技術分野】
【０００１】
本発明は、複数の発光体を備える表示装置及び表示方法に関する。
【背景技術】
【０００２】
近年、携帯電話、テレビ、各種電子機器のモニターなどの表示装置として、液晶表示装置などのフラットパネルディスプレイが用いられている。そして、この液晶表示装置などの表示パネルに光を供給する機構として、バックライトユニットが知られている。
【０００３】
バックライトユニットは、表示パネルの背面に向けて光を照射する面状の光源であり、蛍光ランプや発光ダイオードなどからなる発光源と、その発光源の光束を表示パネルに照射するために、面状の光束に変換する導光板などの光路変換手段とを備えている。特に近年は、小型、薄型化、長寿命化などを目的として、発光ダイオードを発光源として用いたものが広く使用されるようになってきている。
【０００４】
このような発光ダイオードを用いたバックライトユニットの駆動方式には、Ｒ（赤）、Ｇ（緑）、Ｂ（青）の３色の発光ダイオードを同時点灯して白色光を合成し、それをＲ（赤）、Ｇ（緑）、Ｂ（青）の３色のカラーフィルタを介して表示パネルの前方に照射することでフルカラー表示を行うカラーフィルタ方式と、Ｒ（赤）、Ｇ（緑）、Ｂ（青）の３色の発光ダイオードを各色毎に時分割点灯させてフルカラー表示を行うフィールドシーケンシャルカラー方式がある。
【０００５】
ここで、どちらの方式を採用するにしても、表示パネル面の色度を使用者の望む色度に調整をする必要が生ずる。そのため、表示パネル面の色度を所望の色度に調整をすることができる画像表示装置が提案されている。（例えば、特許文献１参照）
しかしながら、特許文献１に開示されているような技術では、光源の発光体が発光出力限界に達した場合には、色ずれをすることなく表示パネル面の色度調整をすることができなかった。
【特許文献１】特開２００５−１６４７１０号公報
【発明の開示】
【発明が解決しようとする課題】
【０００６】
本発明は、光源の発光体が発光出力限界に達した場合でも、表示パネル面の色度を使用者の望む色度に色ずれをすることなく調節をすることができる表示装置および表示方法を提供する。
【課題を解決するための手段】
【０００７】
本発明の一態様によれば、複数の発光体の発光強度を独立して変えることができる表示装置であって、前記発光体の発光強度を検出する発光強度検出手段と、色度および輝度に関する情報を制御指令値として記憶する記憶手段と、少なくとも前記発光強度検出手段による検出結果に基づいて、前記発光体の発光出力限界を判定する発光出力限界判定手段と、前記発光出力限界判定手段により判定された発光出力限界値に基づいて、発光出力限界に達した前記発光体の輝度に関する補正制御指令値を演算する色度保持手段と、前記輝度の制御指令値と前記演算後の輝度の補正制御指令値との切替をする指令値切替手段と、を備えたことを特徴とする表示装置が提供される。
【０００８】
また、本発明の他の一態様によれば、複数の発光体の発光強度を独立して変えることができる表示装置であって、色度および輝度に関する情報を制御指令値として記憶する記憶手段と、前記色度に関する制御指令値に基づいて、前記発光体の発光出力限界を判定する発光出力限界判定手段と、予め記憶した発光出力限界値に基づいて、発光出力限界に達した前記発光体の輝度の補正制御指令値を演算する色度保持手段と、前記輝度の制御指令値と前記演算後の輝度の補正制御指令値との切替をする指令値切替手段と、を備えたことを特徴とする表示装置が提供される。
【０００９】
さらにまた、本発明の他の一態様によれば、複数の発光体の発光強度を独立して変えることができる表示方法であって、色度および輝度に関する情報を制御指令値として記憶し、前記発光体の発光強度を検出し、少なくとも前記発光強度の検出結果に基づいて、前記発光体の発光出力限界を判定し、検出された発光出力限界値に基づいて、発光出力限界に達した前記発光体の輝度の補正制御指令値を演算し、前記輝度の制御指令値と前記演算後の輝度の補正制御指令値との切替をする、ことを特徴とする表示方法が提供される。
【００１０】
さらにまた、本発明の他の一態様によれば、複数の発光体の発光強度を独立して変えることができる表示方法であって、色度および輝度に関する情報を制御指令値として記憶し、前記色度に関する制御指令値に基づいて、前記発光体の発光出力限界を判定し、予め求められた発光出力限界値に基づいて、発光出力限界に達した前記発光体の輝度の補正制御指令値を演算し、前記輝度の制御指令値と前記演算後の輝度の補正制御指令値との切替をする、ことを特徴とする表示方法が提供される。
【発明の効果】
【００１１】
本発明によれば、光源の発光体が発光出力限界に達した場合でも、表示パネル面の色度を使用者の望む色度に色ずれをすることなく調節をすることができる表示装置および表示方法が提供される。
【発明を実施するための最良の形態】
【００１２】
以下、図面を参照しつつ、本発明の実施形態について説明する。  
図１は、第１の実施形態に係る表示装置に設けられる色度調整手段を説明するための構成図である。  
図１に示すように、色度調整手段１は、発光強度検出手段２、Ａ／Ｄ（Analog/Digital）変換手段３、記憶手段４、指令値切替手段５、ＲＧＢ（赤・緑・青）変換手段６、発光強度制御手段７、発光出力限界判定手段８、色度保持手段９、発光出力手段１０を備えている。
【００１３】
発光強度検出手段２は、Ｒ（赤）、Ｇ（緑）、Ｂ（青）の各波長領域に対して、異なる分光感度を有しており、その受光部に照射された光の各波長成分の発光強度の変化に応じた信号（輝度Ｒ、輝度Ｇ、輝度Ｂ）を出力する。そして、出力信号（輝度Ｒ、輝度Ｇ、輝度Ｂ）は、Ａ／Ｄ変換手段３と発光出力限界判定手段８に送られる。発光強度検出手段２は、発光出力手段１０によって点灯される発光体からの照射エネルギーを、直接的あるいは間接的に検知可能な位置に設けられる。発光強度検出手段２の具体例としては、カラーセンサなどを例示することができる。尚、発光強度検出手段２からの各出力を図示しない信号増幅手段によって、所望の利得になるように増幅させるようにしてもよい。
【００１４】
Ａ／Ｄ変換手段３は、発光強度検出手段２からのアナログ出力信号を所望の分解能を有するデジタル信号に変換する機能を有する。  
記憶手段４は、所望の色度・輝度に表示装置を点灯させるために、色度図座標Cx、Cyおよび輝度Ｙの値を制御指令値として記憶させるためのものである。記憶手段４への入力は、使用者が手動で行うものであっても、図示しない指令手段から自動的に送信されてくるようなものであってもよい。記憶された値のうち、Ｙ制御指令値は指令値切替手段５に送られる。Cx制御指令値とCy制御指令値とは、指令値切替手段５と色度保持手段９に送られる。
【００１５】
指令値切替手段５は、記憶手段４からの輝度の制御指令値、色度保持手段９からの演算後の輝度の制御指令値の切替をする機能を有する。
【００１６】
ＲＧＢ（赤・緑・青）変換手段６は、記憶手段４から送られてきた制御指令値（色度図座標Cx、Cyと輝度Ｙ）を、Ｒ（赤）、Ｇ（緑）、Ｂ（青）の各輝度指令値に変換する機能を有する。Ｒ（赤）、Ｇ（緑）、Ｂ（青）の各輝度指令値は、発光強度制御手段７に送られる。
【００１７】
この時、Ｒ（赤）、Ｇ（緑）、Ｂ（青）の各輝度指令値への変換は、以下の式（１）〜（３）に基づいて行われる。
【数７】
2008046559.tif 000003
【数８】
2008046559.tif 000004
【数９】
2008046559.tif 000005
ここで、Cx：色度図座標Cxの指令値、Cy：色度図座標Cyの指令値、Ｙ ：輝度指令値、Ｘ、Ｚ ：上記Ｙを除いた残りの三刺激値、Ｒ（赤）、Ｇ（緑）、Ｂ（青）：各色発光体の発光強度指令値、a11〜a33：変換定数、である。
【００１８】
尚、a11〜a33の変換定数は、発光強度検出手段２の検出特性誤差を補正するためのものである。具体的には、発光強度検出手段２を使って検出した実際の三刺激値（Ｘ、Ｙ、Ｚ）を（３）の式の行列で近似し、理想的な三刺激値との誤差が最小となるようなa11〜a33までの９つの変換定数を算出して求める。
【００１９】
発光強度制御手段７は、ＲＧＢ（赤・緑・青）変換手段６により変換されたＲＧＢ（赤・緑・青）の各輝度指令値と、発光強度検出手段２で検出されＡ／Ｄ変換手段３によってデジタル信号に変換された各輝度の値とを比較し、検出された輝度の値が輝度指令値に近づくように発光出力手段１０の出力を制御する機能を有する。制御信号（Ｒ制御信号、Ｇ制御信号、Ｂ制御信号）は発光出力手段１０に送られるとともに、発光出力限界判定手段８にも送られる。
【００２０】
発光出力限界判定手段８は、発光体の通電電流値、点灯・消灯の時間比率などの制御情報（Ｒ制御信号、Ｇ制御信号、Ｂ制御信号）や発光体の発光強度に応じた出力（輝度Ｒ、輝度Ｇ、輝度Ｂ）などの検出情報に基づいて発光体の発光出力限界を判定する機能を有する。例えば、発光強度検出手段２による検出結果（輝度Ｒ、輝度Ｇ、輝度Ｂの値のピークなど）に基づいて発光体の発光出力限界を判定する。
【００２１】
色度保持手段９は、発光出力限界に達したと判断された発光体が原因の色ずれが発生しないように、適正な輝度の制御指令値（補正制御指令値）を演算する機能を有する。
【００２２】
発光出力手段１０は、発光強度制御手段７からの指令に基づき、各発光体の発光強度の調整、点灯、消灯を行う機能を有する。
【００２３】
次に、色度調整手段１の作用を説明する前に、発光体が発光出力限界に達した時の色度・輝度について説明する。  
図２は、発光体が発光出力限界に達した時の色度・輝度について説明するためのグラフ図である。
【００２４】
図２（ａ）は、色度図である。Ｒ（赤）、Ｇ（緑）、Ｂ（青）３色の発光体それぞれの発光スペクトルおよび光量によって、視認される光の色度と輝度が決定される。ここで、図２（ａ）に示したように、視認される色度は、Ｒ（赤）、Ｇ（緑）、Ｂ（青）それぞれの発光体を単独で点灯した場合の色度点を頂点とする三角形の内部の色度となる。
【００２５】
図２（ｂ）は、各発光体が発光出力限界に達する前の色度・輝度について説明をするためのグラフ図である。図２（ｃ）は、Ｒ（赤）の発光体が発光出力限界に達した後の色度・輝度について説明をするためのグラフ図である。図２（ｂ）と図２（ｃ）の横軸は、発光強度の調整の度合いを示し数値が大きくなるほど強度が増すことを表している。Cxは色度図のCx軸（ｘ軸）上の値、Cyは色度図のCy軸（ｙ軸）上の値、Ｙは輝度、ＲはＲ（赤）発光体の発光強度、ＧはＧ（緑）発光体の発光強度、ＢはＢ（青）発光体の発光強度である。
【００２６】
いま、図２（ａ）に示すように、初期値をCx；０．３０、Cy；０．３０、Ｙ；１０００とし、色度調整の目標値をCx；０．３５、Cy；０．３０、Ｙ；１４００とする。この場合、各発光体が発光出力限界に達する前であれば、Cx、Cy、Ｙの各目標値は図２（ｂ）中に示した各線図の下方となるため、調整値を目標値に合わせることができる。しかし、図２（ｃ）中に示すように、Ｒ（赤）の発光体が２０００で発光出力限界に達した場合は、Cxの値が０．３４でピークを持ち、それ以上発光体の発光強度を上げようとしても逆にCxの値は減少するようになる。また、Ｙの値も１３５０が限度となる。そのため、発光強度を最大限に上げても、Cxの値を目標値に合わせることができず、Cxの値は図２（ｃ）のグラフ図の枠外である０．２５と、Ｙの値も限度一杯の１３５０となってしまう。結局、調整後の値は、Cx；０．２５、Cy；０．３０、Ｙ；１３５０となる。
【００２７】
これを、図２（ａ）の色度図上で説明すると、目標値は初期値の右方に位置するにもかかわらず、調整後の値はかえって左方に位置するようになってしまい、本来、赤味がかることを望んだにもかかわらず、かえって青味がかるようになり色ずれが発生してしまうことになる。その上、人間は、色度図上の座標値の差で０．００２程度までは、色度の差（色ずれ）として感知する能力があるといわれている。そのため、色度に関しては調整誤差が０．００２を越えないようにする必要がある。
【００２８】
本発明者は、検討の結果、発光体が発光出力限界に達した場合でも、適正な輝度の値を用いれば、所望の色度を保持しつつ色度調整ができるとの知見を得た。以下、一例として、発光出力限界判定手段８により、Ｒ（赤）発光体が発光出力限界に達したと判定された場合について説明をする。
【００２９】
この時、発光強度検出手段２で検出されたＲ（赤）発光体の輝度の値をＲlim（Ｒ（赤）発光体の発光出力限界値）とする。ここで、色度図座標Cyの制御指令値をCy、色度図座標Cxの制御指令値をCxとする。Cx、Cy、Ｒlimと、前述の（３）の座標変換式の変形から、適正な輝度ＹＲ’の値は下記の（４）式で演算することができる。
【数１０】
2008046559.tif 000006
このようにして求められた値（Cx、Cy、ＹＲ’）が発光出力限界時の制御指令値（補正制御指令値）となる。この制御指令値はＲＧＢ（赤・緑・青）変換手段６により、ＲＧＢ（赤・緑・青）の各輝度指令値に変換されて、各発光体の発光強度が制御されることになる。
【００３０】
このように発光体の発光出力限界値に基づいて、適正な輝度の値を演算するようにしているため、発光出力限界に達した発光体がある場合であっても、原指令値であるCx、Cy、Ｙと比べ、色度の保持を優先とした発光体の出力制御が行えることになる。
【００３１】
このような制御の効果を、図２で説明した場合を例にとり説明する。図３は、前述の演算後の色度・輝度について説明をするためのグラフ図である。図２で説明したように、初期値をCx；０．３０、Cy；０．３０、Ｙ；１０００とし、色度調整の目標値をCx；０．３５、Cy；０．３０、Ｙ；１４００とする。
【００３２】
図３中に示すように、Ｒ（赤）の発光体が２０００で発光出力限界に達した場合でも、前述の演算により求めた輝度ＹＲ’を用いれば、Cxの値は図２（ｃ）のようなピークを持たなくなる。そのため、図２（ｂ）で説明した各発光体が発光出力限界に達する前のように、CxとCyの値を目標値に合わせることができ、色ずれのない調整ができるようになる。
【００３３】
ここで、図３からわかるように、輝度ＹＲ’の値は前述の演算前の値よりも若干低下する。そのため、輝度の値に関しては目標値の１４００に合わせることができず１１５０となる。しかしながら、人間の輝度の値の差に関する感知能力は、色度の値の差に関する感知能力に比べて著しく低い。また、表示装置における調整では輝度の値を徐々に変化させることが多く、このような場合はなおさら感知がされにくくなる。そのため、前述した演算により輝度の値が目標値に達しないことがあっても実用上は全く問題とはならない。
【００３４】
また、前述したように本実施形態においては、実際の発光出力（輝度Ｒ、輝度Ｇ、輝度Ｂ）などの情報から発光体の発光出力限界を判定する機能を有している。そのため、経年変化や製造誤差などにより各発光体の出力にばらつきがあっても、色ずれのない調整をすることができる。
【００３５】
次に、色度調整手段１の作用を説明する。  
図４は、色度調整手段１の手順を説明するためのフローチャートである。  
まず、記憶手段４に、色度図座標Cx、Cyおよび輝度Ｙを制御指令値として記憶させる（ステップＳ１）。色度図座標Cx、Cyの制御指令値は、指令値切替手段５を介してＲＧＢ（赤・緑・青）変換手段６に送られるとともに、色度保持手段９にも送られる。
【００３６】
次に、発光出力限界判定手段８により発光体が発光出力限界に達しているか否かが判定される（ステップＳ２）。
【００３７】
発光体が発光出力限界に達していない場合は、輝度Ｙの制御指令値が指令値切替手段５を介してＲＧＢ（赤・緑・青）変換手段６にそのまま送られる。
【００３８】
発光体が発光出力限界に達している場合は、輝度の制御指令値（補正制御指令値）が前述の（４）の式に基づき演算される（ステップＳ３）。演算は、色度保持手段９により行われ、演算後の輝度ＹＲ’の制御指令値（補正制御指令値）が指令値切替手段５を介してＲＧＢ（赤・緑・青）変換手段６に送られる。この時、記憶手段４からの輝度Ｙの制御指令値と、色度保持手段９からの演算後の輝度ＹＲ’の制御指令値との切替は、指令値切替手段５により行われる。
【００３９】
制御指令値または演算後の制御指令値が、前述の（１）〜（３）の式に基づき、Ｒ（赤）、Ｇ（緑）、Ｂ（青）の各輝度指令値へ変換される（ステップＳ４）。
【００４０】
一方、発光強度検出手段２により発光体のＲ（赤）、Ｇ（緑）、Ｂ（青）の各輝度を検出する（ステップ５）。
【００４１】
次に、検出した検出値をＡ／Ｄ変換手段３によりデジタル信号に変換する（ステップＳ６）。
【００４２】
ステップＳ４で変換された輝度指令値と、ステップＳ６で変換された検出値とが比較され、検出値が輝度指令値に近づくよう発光体への出力が制御される（ステップＳ７）。この時、発光強度検出手段２により発光体の各輝度を再度検出して、前述のステップを繰り返す様にすることも出来る。そのようにすれば、演算の精度を高くすることができる。
尚、説明の便宜上、Ｒ（赤）発光体が出力限界に達した場合を説明したが、Ｇ（緑）発光体やＢ（青）発光体が出力限界に達した場合も同様である。この場合、Ｇ（緑）発光体の発光出力限界値をＧlim、Ｂ（青）発光体の発光出力限界値をＢlim、色度図座標Cyの制御指令値をCy、色度図座標Cxの制御指令値をCx、変換定数をa11〜a33とすると、適正な輝度の値ＹＧ’、ＹＢ’は下記の（５）式、（６）式でそれぞれ演算することができる。演算により求められたＹＧ’とＹＢ’の適応については、ＹＲ’の場合と同様であるため説明は省略する。
【数１１】
2008046559.tif 000007
【数１２】
2008046559.tif 000008
【００４３】
図５は、第２の実施形態にかかる表示装置を例示するための模式図である。  
図５に示す表示装置は、Ｒ（赤）、Ｇ（緑）、Ｂ（青）の３色の発光ダイオードを各色毎に時分割点灯させてフルカラー表示を行うフィールドシーケンシャルカラー方式の液晶表示装置である。
図５に示すように、液晶表示装置１１は、色度調整手段１、液晶パネル１２、バックライトユニット１３とを備える。液晶パネル１２はバックライトユニット１３の上面に設けられている。バックライトユニットには、導光板１４の側面に発光体を設けたサイドライト型と液晶パネルの背面に対向して１又は複数の発光体を設けた直下型があるが、図５に示したものはサイドライト型である。
【００４４】
バックライトユニット１３は、導光板１４、光源１５、マスク１７、入光プリズム１８、拡散板１９を備えている。また、光源１５には複数のＲ（赤）、Ｇ（緑）、Ｂ（青）の発光ダイオード（発光体）１６が線状に並べられている。導光板１４は適宜分割され、隣接する導光板１４同士の光が干渉しないように分割面には図示しない遮光材が設けられている。また、導光板の入り口付近にはマスク１７が設けられ、隣接する導光板１４の光が入光しないようになっている。
【００４５】
各導光板１４には発光強度検出手段２が設けられている。発光強度検出手段２を設ける位置は導光板１４の表面、内部など適宜選択することができる。尚、左右からの光のバランスを考慮すれば、各導光板１４の中央部付近に発光強度検出手段２を設けることが好ましい。
【００４６】
これら発光ダイオード（発光体）は、色度調整手段１に設けられている発光出力手段１０に接続されている。そして、発光強度制御手段７により発光出力手段１０を制御して、通電電流値の制御や、点灯と消灯とを数１０Hz〜数１０ｋHz程度の高い周期で切り替える点灯比率制御を行って、Ｒ（赤）、Ｇ（緑）、Ｂ（青）の発光量を独立に制御する。
発光ダイオード（発光体）から発光した光は、入光プリズム１８を介して導光板１４に導かれる。導光板１４の中を拡散板１９により拡散されながら進行した光は、液晶パネル１２を透過することによりカラー画像となる。尚、フィールドシーケンシャルカラー方式の場合、Ｒ（赤）、Ｇ（緑）、Ｂ（青）の発光ダイオードが順次点灯される。
【００４７】
本発明によれば、Ｒ（赤）、Ｇ（緑）、Ｂ（青）の発光ダイオード（発光体）が発光出力限界に達した場合でも、液晶表示パネル面の色度を使用者の望む色度に色ずれをすることなく調節することができる。
図５においては、フィールドシーケンシャルカラー方式の液晶表示装置を説明したが、本発明はカラーフィルタ方式の液晶表示装置についても適応が可能である。この場合、液晶パネル１２とバックライトユニット１３の間に、カラーフィルタが必要となる。カラーフィルタ方式の場合、Ｒ（赤）、Ｇ（緑）、Ｂ（青）の発光ダイオードは同時点灯され、導光板１４内で混色され白色光となる。この白色光がカラーフィルタでＲ（赤）、Ｇ（緑）、Ｂ（青）の光となり、液晶パネル１２を透過することによりカラー画像となる。Ｒ（赤）、Ｇ（緑）、Ｂ（青）の発光ダイオード（発光体）が発光出力限界に達した場合、混色される光の割合が変わり、この場合も従来の調整方法では色ずれのない調整をすることが困難となる。  
本発明によれば、このような場合でも、液晶表示パネル面の色度を使用者の望む色度に色ずれをすることなく調節することができる。
【００４８】
図６は、第３の実施形態に係る色度調整手段を説明するための構成図である。  
図６に示すように、色度調整手段２０は、発光強度検出手段２、Ａ／Ｄ（Analog/Digital）変換手段３、記憶手段２１、指令値切替手段５、ＲＧＢ（赤・緑・青）変換手段６、発光強度制御手段７、発光出力限界判定手段２２、色度保持手段９、発光出力手段１０を備えている。図１において説明した色度調整手段１と同一の要素には同じ符号を付し説明は省略する。
【００４９】
本実施形態においては、記憶手段２１に記憶された値のうち、Ｙ輝度指令値は指令値切替手段５に送られる。Cx制御指令値とCy制御指令値とは、指令値切替手段５、色度保持手段９、発光出力限界判定手段２２に送られる。
【００５０】
発光出力限界判定手段２２は、送られてきたCx制御指令値とCy制御指令値とに基づいて発光体の発光出力限界を判定する機能を有する。この際、判断の基準となる発光出力の限界値は、実験などで予め求めて発光出力限界判定手段２２に保存しておくことができる。また、この時の限界値は、経年変化を予め実験で求めたり、製造誤差などの発光出力のばらつきを抜き取り検査で求めたりして、それらを考慮するようにすることもできる。尚、発光出力限界の限界値は図示しないデータベースより送られてくるようにすることもできる。
【００５１】
このようにすれば、構成を簡略化できるので、製造経費の削減などをはかることができる。また、ユニット化が容易となり色度調整手段を備えていない既存の表示装置に簡単に付加することもできる。
【００５２】
色度調整手段２０の作用は、図４で説明した色度調整手段１の作用とほぼ同じである。説明の便宜上、ここではＲ（赤）発光体が発光出力限界に達した場合を説明する。
【００５３】
すなわち、まず、記憶手段２１に、色度図座標Cx、Cyおよび輝度Ｙを制御指令値として記憶させる（ステップＳ１１）。色度図座標Cx、Cyの制御指令値は、指令値切替手段５を介してＲＧＢ（赤・緑・青）変換手段６に送られるとともに、色度保持手段９と発光出力限界判定手段２２にも送られる。
【００５４】
次に、発光出力限界判定手段２２により発光体が発光出力限界に達しているか否かが判定される（ステップＳ１２）。発光出力限界判定手段２２は、送られてきたCx制御指令値、Cy制御指令値と、予め求められ保存されていた発光出力の限界値とに基づいて発光体の発光出力限界を判定する。
【００５５】
発光体が発光出力限界に達していない場合は、輝度Ｙの制御指令値が指令値切替手段５を介してＲＧＢ（赤・緑・青）変換手段６にそのまま送られる。
【００５６】
発光体が発光出力限界に達している場合は、輝度の制御指令値（補正制御指令値）が前述の（４）の式に基づき演算される（ステップＳ１３）。演算は、色度保持手段９により行われ、演算後の輝度ＹＲ’の制御指令値（補正制御指令値）が指令値切替手段５を介してＲＧＢ（赤・緑・青）変換手段６に送られる。この時、記憶手段４からの輝度Ｙの制御指令値と、色度保持手段９からの演算後の輝度ＹＲ’の制御指令値（補正制御指令値）との切替は、指令値切替手段５により行われる。
【００５７】
制御指令値または演算後の制御指令値が、前述の（１）〜（３）の式に基づき、Ｒ（赤）、Ｇ（緑）、Ｂ（青）の各輝度指令値へ変換される（ステップＳ１４）。
【００５８】
一方、発光強度検出手段２により発光体のＲ（赤）、Ｇ（緑）、Ｂ（青）の各輝度を検出する（ステップ１５）。
【００５９】
次に、検出した検出値をＡ／Ｄ変換手段３によりデジタル信号に変換する（ステップＳ１６）。
【００６０】
ステップＳ１４で変換された輝度指令値と、ステップＳ１６で変換された検出値とが比較され、検出値が指令値に近づくよう発光体への出力が制御される（ステップＳ１７）。
また、説明の便宜上、Ｒ（赤）発光体が発光出力限界に達した場合を説明したが、前述したように、Ｇ（緑）、Ｂ（青）発光体が発光出力限界に達した場合も同様である。
【００６１】
以上、具体例を参照しつつ、本発明の実施の形態について説明した。しかし、本発明はこれらの具体例に限定されるものではない。前述の具体例に関して、当業者が適宜設計変更を加えたものも、本発明の特徴を備えている限り、本発明の範囲に包含される。
【００６２】
例えば、本発明において用いるバックライトユニット１３、導光板１４、光源１５、マスク１７、入光プリズム１８、拡散板１９、発光体、液晶パネル１２などの要素は、図示した形状、サイズのものには限定されず、その断面形状、寸法、材質、配置などは適宜変更しても同様の作用効果が得られ、本発明の特徴を備えている限り、本発明の範囲に包含される。
【００６３】
また、表示装置の例として液晶表示装置を説明したが、これに限られるわけではなく、Ｒ（赤）、Ｇ（緑）、Ｂ（青）の発光体を備える表示装置に広く適応が可能である。
【００６４】
また、発光体として発光ダイオードを例にとって説明したが、これに限られるわけではなく、冷陰極管、有機ＥＬ（Electro Luminescence）、無機ＥＬ（Electro Luminescence）などとしてもよい。
【００６５】
また、バックライトの方式としてサイドライト型を説明したが、直下型でもよい。  
【図面の簡単な説明】
【００６６】
【図１】第１の実施形態に係る色度調整手段を説明するための構成図である。
【図２】発光体が発光出力限界に達した時の色度・輝度について説明をするためのグラフ図である。
【図３】演算後の色度・輝度について説明をするためのグラフ図である。
【図４】色度調整手段の手順を説明するためのフローチャートである。
【図５】第２の実施形態にかかる表示装置を例示するための模式図である。
【図６】第３の実施形態に係る色度調整手段を説明するための構成図である。
【符号の説明】
【００６７】
１  色度調整手段、２  発光強度検出手段、４  記憶手段、５  指令値切替手段、８  発光出力限界判定手段、９  色度保持手段、１１  液晶表示装置、１２  液晶パネル、１３  バックライトユニット、２０  色度調整手段、２１  記憶手段、２２  発光出力限界判定手段
【図１】
2008046559.tif 000015
【図３】
2008046559.tif 000016
【図４】
2008046559.tif 000017
【図５】
2008046559.tif 000018
【図６】
2008046559.tif 000019
【図２】
2008046559.tif 000020